(57)【要約】  【課題】  機器の限られた配設スペースを効率よく利用して回転部と表示部とを配することができ、また、回転部を回転した場合であっても表示部の表示が識別しやすい操作装置を提供する。また、この操作装置を備える電気機器を提供する。  【解決手段】  ユーザからの回転操作を受け付けるロータリースイッチ２の回転部１１に液晶パネル１３を設け、液晶パネル１３の周囲に４つのボタン１４ａ、１４ｂ、１４ｃ、１４ｄを設ける。ロータリースイッチ２が液晶パネルと同程度の大きさであるため、回転操作を行う場合の操作性が悪化しない。回転部１１を回転させた場合、回転部１１の回転角に応じて液晶パネル１３の表示の向きを変更する。【選択図】      図１
2007065382.tif 000002
【特許請求の範囲】
【請求項１】
筐体に回転可能に枢支された回転部を備え、該回転部に加えられた回転操作に応じて動作する電気機器において、
前記回転部に配され、前記回転部と一体的に回転する表示部と、
前記回転部の回転角を検出する回転角検出手段と、
該回転角検出手段が検出した回転角に応じて、前記表示部の表示の向きを変更する手段と
を備えることを特徴とする電気機器。
【請求項２】
前記回転部の前記表示部の周囲に配設された複数の操作部を備える請求項１に記載の電気機器。
【請求項３】
前記回転角検出手段が検出した回転角に応じて、前記複数の操作部が受け付ける操作内容を変更する手段を備える請求項２に記載の電気機器。
【請求項４】
前記表示部は、前記複数の操作部の各配設位置に対応して、各操作部の操作案内を表示するようにしてある請求項２又は請求項３に記載の電気機器。
【請求項５】
音声を出力する出力手段と、
前記回転角検出手段が検出した回転角に応じて、前記出力手段が出力する音声の大きさを変更する手段と
を備える請求項１乃至請求項４のいずれか１つに記載の電気機器。
【請求項６】
基部に枢支される回転部を備え、該回転部に加えられた回転操作を受け付ける操作装置において、
前記回転部に配され、前記回転部と一体的に回転する表示部と、
前記回転部の回転角を検出する回転角検出手段と
を備えることを特徴とする操作装置。
【請求項７】
前記回転部の前記表示部の周囲に配設された複数の操作部を備える請求項６に記載の操作装置。
【発明の詳細な説明】
【技術分野】
【０００１】
本発明は、押ボタン及びロータリースイッチ等の操作部材を備える操作装置に関し、また、この操作装置を備える電気機器に関する。
【背景技術】
【０００２】
近年では、ハードディスク又はメモリＩＣ等に数十曲〜数千曲程度の楽曲を記録することが可能な携帯型のオーディオ装置が普及している。携帯型のオーディオ装置は、鞄又はポケット等に収納された状態で使用されることが多く、筐体が小型であることが望まれる。しかし、オーディオ装置の筐体が小型であるほど、操作用のボタン及び液晶パネル等を配設するスペースが限られるという問題がある。
【０００３】
この問題に対して、筐体に設けられた液晶パネルにメニューを表示し、ボタンを操作してメニューの項目を選択する構成とすることで、少数のボタンでより多くの機能を操作可能とすることができる。しかし、オーディオ装置の機能が増加するに従って、液晶パネルに表示されるメニューが複雑なものとなり、不慣れなユーザが使用することが困難になる。
【０００４】
特許文献１においては、液晶パネルの周囲に円形枠状の操作体を設け、操作体の周方向の８箇所に押下位置を設け、ユーザが操作体を押下した場合に、押下位置に応じて複数のスイッチ機構のいずれかを動作させる構成の操作装置が提案されている。液晶パネルには操作体に対する操作個所と操作内容とが表示され、この表示に従ってユーザが操作体を操作することができるようにしてある。
【０００５】
一方、操作部を回転させることで操作を行うことができるスイッチ、所謂ロータリースイッチが様々な電気機器で用いられている。ロータリースイッチは、回転により操作された操作部の位置でスイッチの状態、即ち機器の状態を判断できるため、良好な操作性が得られるという利点がある。また、操作部は操作角の３６０°を使用することができるため、多くの接点を一つのスイッチに設けることができ、多種多様な用途に用いることが可能である。
【特許文献１】特開平９−１３８６５８号公報
【発明の開示】
【発明が解決しようとする課題】
【０００６】
しかしながら、ロータリースイッチは良好な操作性が得られるという利点があるものの、ロータリースイッチを小型化した場合には、ユーザが回転操作を行い難くなり操作性が悪化するため、小型化に向かないという問題がある。このため、携帯性が重視される携帯型音楽プレーヤ及び携帯電話器等の電気機器では、限られた配設スペースに他のボタン及び液晶パネル等が優先して配設され、ロータリースイッチが用いられることは少ない。
【０００７】
本発明は、斯かる事情に鑑みてなされたものであって、その目的とするところは、回転操作を受け付ける回転部に一体的に表示部を設け、回転部の回転角に応じて表示部の表示の向きを変更する構成とすることにより、機器の限られた配設スペースを効率よく利用して回転部と表示部とを配することができ、また、回転部を回転した場合であっても表示部の表示が識別しやすい電気機器を提供することにある。
【０００８】
また本発明の他の目的とするところは、回転部の表示部の周囲にボタン又はスイッチ等の操作部を複数設ける構成とすることにより、機器の限られた配設スペースを更に効率よく利用することができる電気機器を提供することにある。
【０００９】
また本発明の他の目的とするところは、回転部の回転角に応じて、複数の操作部がそれぞれ受け付ける操作内容を変更する構成とすることにより、回転部が回転されて表示部の表示の向きが変更された場合に、操作部の操作内容を表示部の表示に合わせて変更することができる電気機器を提供することにある。
【００１０】
また本発明の他の目的とするところは、複数の操作部の配設位置に対応して、表示部に操作案内を表示する構成とすることにより、ユーザが各操作部の機能を簡単に判断することができる電気機器を提供することにある。
【００１１】
また本発明の他の目的とするところは、スピーカ又はヘッドホン等に出力する音声の音量を、回転部の回転角に応じて変更する構成とすることにより、音量調節用のスイッチと表示部及び操作部とを一体化することができ、小型化することができるオーディオ装置又はテレビ等の電気機器を提供することにある。
【００１２】
また本発明の他の目的とするところは、回転操作を受け付ける回転部に一体的に表示部を設けることにより、機器の限られた配設スペースを効率よく利用して回転部と表示部とを配することができる操作装置を提供することにある。
【００１３】
また本発明の他の目的とするところは、回転部の表示部の周囲にボタン又はスイッチ等の操作部を複数設ける構成とすることにより、機器の限られた配設スペースを更に効率よく利用することができる操作装置を提供することにある。
【課題を解決するための手段】
【００１４】
本発明に係る電気機器は、筐体に回転可能に枢支された回転部を備え、該回転部に加えられた回転操作に応じて動作する電気機器において、前記回転部に配され、前記回転部と一体的に回転する表示部と、前記回転部の回転角を検出する回転角検出手段と、該回転角検出手段が検出した回転角に応じて、前記表示部の表示の向きを変更する手段とを備えることを特徴とする。
【００１５】
本発明においては、ユーザからの回転操作を受け付ける回転部に表示部を設ける。例えばロータリースイッチに一体的に液晶パネルを設ける。電気機器の限られた配設スペースを別途必要とすることなく、液晶パネルと同程度の大きさのロータリースイッチを設けることができる。ロータリースイッチが液晶パネルと同程度の大きさであるため、回転操作を行う場合の操作性が悪化しない。ロータリースイッチを例えば１８０°回転させた場合、液晶パネルの表示が上下に逆転する虞があるが、ロータリースイッチの回転角に応じて液晶パネルの表示の向きを変更することでこれを解決する。
【００１６】
また、本発明に係る電気機器は、前記回転部の前記表示部の周囲に配設された複数の操作部を備えることを特徴とする。
【００１７】
本発明においては、ロータリースイッチの液晶パネルの周囲にボタン又はスイッチ等の操作部を設ける。これにより、ロータリースイッチがより多くの操作を受け付けることができ、限られた配設スペースをより節約できる。
【００１８】
また、本発明に係る電気機器は、前記回転角検出手段が検出した回転角に応じて、前記複数の操作部が受け付ける操作内容を変更する手段を備えることを特徴とする。
【００１９】
本発明においては、ロータリースイッチを回転させた場合、液晶パネルの表示の向きを変更し、これに合わせて操作部が受け付ける操作内容を変更する。これにより、例えば、液晶パネルの表示の上側に位置する操作部の操作内容を常に同じにすることができる。
【００２０】
また、本発明に係る電気機器は、前記表示部が、前記複数の操作部の各配設位置に対応して、各操作部の操作案内を表示するようにしてあることを特徴とする。
【００２１】
本発明においては、液晶パネルの周囲に設けた操作部の配設位置に対応して、液晶パネルに操作部の操作案内を表示する。ロータリースイッチが回転することで、操作部の操作内容が変更された場合であっても、ユーザが各操作部の操作内容を確実に判断できる。
【００２２】
また、本発明に係る電気機器は、音声を出力する出力手段と、前記回転角検出手段が検出した回転角に応じて、前記出力手段が出力する音声の大きさを変更する手段とを備えることを特徴とする。
【００２３】
本発明においては、スピーカ又はヘッドホン等に出力する音声の音量を、ロータリースイッチで調節する構成とする。これにより、音声出力を行う電気機器、例えばオーディオ装置又はテレビ等が小型化できる。オーディオ装置に適用する場合には、例えば、ロータリースイッチで音量を調節し、曲名又は再生時間等を液晶パネルに表示し、再生、停止及び選曲等を複数の操作部にて行う。
【００２４】
また、本発明に係る操作装置は、基部に枢支される回転部を備え、該回転部に加えられた回転操作を受け付ける操作装置において、前記回転部に配され、前記回転部と一体的に回転する表示部と、前記回転部の回転角を検出する回転角検出手段とを備えることを特徴とする。
【００２５】
本発明においては、ユーザからの回転操作を受け付ける回転部に表示部を設ける。例えばロータリースイッチに一体的に液晶パネルを設ける。ロータリースイッチを搭載する電気機器の限られた配設スペースを別途必要とすることなく、液晶パネルと同程度の大きさのロータリースイッチを設けることができる。ロータリースイッチが液晶パネルと同程度の大きさであるため、回転操作を行う場合の操作性が悪化しない。
【００２６】
また、本発明に係る操作装置は、前記回転部の前記表示部の周囲に配設された複数の操作部を備えることを特徴とする。
【００２７】
本発明においては、ロータリースイッチの液晶パネルの周囲にボタン又はスイッチ等の操作部を設ける。これにより、より多くの操作を受け付けることができ、この操作装置を搭載する電気機器の配設スペースをより節約できる。
【発明の効果】
【００２８】
本発明による場合は、回転操作を受け付ける回転部に一体的に表示部を設ける構成とすることにより、操作装置を搭載する電気機器の限られた配設スペースを節約することができる。また、回転部の回転角に応じて表示部の表示の向きを変更する構成とすることにより、回転部が回転されて表示部がこれに伴って回転した場合に、表示部の表示が上下に逆転するなどして識別が困難になることがない。よって、この操作装置を搭載する電気機器の操作性を悪化することなく、小型化することができ、携帯性を高めることができる。
【００２９】
また、本発明による場合は、回転部の表示部の周囲にボタン又はスイッチ等の操作部を複数設ける構成とすることにより、複数の操作部を配するためのスペースを更に節約することができるため、電気機器をより小型化することができる。
【００３０】
また、本発明による場合は、回転部の回転角に応じて、操作部が受け付ける操作内容を変更する構成とすることにより、回転部が回転されて表示部の表示の向きが変更された場合に、操作部の操作内容を表示部の表示に合わせて変更することができるため、ユーザが操作を行いやすくできる。
【００３１】
また、本発明による場合は、表示部の周囲に配された複数の操作部の配設位置に対応して、表示部に操作案内を表示する構成とすることにより、回転部の回転角に応じて操作部の操作内容が変更された場合であっても、ユーザが各操作部の操作内容を簡単に判断することができるため、操作性を向上することができ、誤操作を防止することができる。
【００３２】
また、本発明による場合は、スピーカ又はヘッドホン等に出力する音声の音量を、回転部の回転角に応じて変更する構成とすることにより、音量調節用のスイッチと表示部及び操作部とを一体化することができるため、音声出力を行う電気機器、例えばオーディオ装置又はテレビ等を小型化することができる。
【００３３】
また、本発明による場合は、回転操作を受け付ける回転部に一体的に表示部を設けることにより、操作装置を備える電気機器の限られた配設スペースを効率よく利用して回転部と表示部とを配することができるため、電気機器を小型化することができる。
【００３４】
また、本発明による場合は、回転部の表示部の周囲にボタン又はスイッチ等の操作部を複数設ける構成とすることにより、複数の操作部を配するためのスペースを更に節約することができるため、操作装置を備える電気機器をより小型化することができる。
【発明を実施するための最良の形態】
【００３５】
以下、本発明をその実施の形態を示す図面に基づき具体的に説明する。なお、本実施の形態では、電気機器としてハードディスクを内蔵した携帯型音楽プレーヤを例に説明を行う。図１は、本発明に係る携帯型音楽プレーヤの構成を示す斜視図である。図において１は携帯型音楽プレーヤの筐体であり、筐体１は扁平な略直方体をなし、正面が略正方形をなしている。筐体１の正面には、扁平な略円柱形のロータリースイッチ２が突設されている。ロータリースイッチ２は、回転させることで携帯型音楽プレーヤが出力する音量を調節することができるようにされている。
【００３６】
筐体１の一側面には、図示しない音声出力用の出力端子が設けられており、出力端子にヘッドホンのコード３が接続される。また、筐体１の出力端子が設けられた側面の反対側面には、ＵＳＢ端子４が設けられており、ＵＳＢ端子４にＵＳＢケーブルを接続してコンピュータ又は他のオーディオ装置等と通信を行うことができるようにされている。これにより、コンピュータ又は他のオーディオ装置から、携帯型音楽プレーヤに内蔵されたハードディスクへ楽曲データを記録することができる。
【００３７】
略円柱形のロータリースイッチ２の端面は略円形であり、中央部に略正方形の液晶パネル１３が配設されている。また、ロータリースイッチ２の端面には、液晶パネル１３の周囲の四方に４つのボタン１４ａ、１４ｂ、１４ｃ、１４ｄがそれぞれ１つずつ配設されている。ロータリースイッチ２は、突出方向の略中間位置で２つに分かれており、一方が筐体１に固定された基部１２であり、他方が基部に回転可能に枢支された回転部１１である。なお、液晶パネル１３及びボタン１４ａ、１４ｂ、１４ｃ、１４ｄは回転部１１の端面に設けられている。
【００３８】
図２は、本発明に係るロータリースイッチ２の構成を示す略示分解斜視図であり、図３は、本発明に係るロータリースイッチ２の構成を示す模式的側断面図である。ロータリースイッチ２の回転部１１には、液晶パネル１３が配設された面の反対面の中央に、円筒状の突起１５が設けられている。回転部１１の内部には、ユーザによるボタン１４ａ、１４ｂ、１４ｃ、１４ｄの操作を受け付けるためのスイッチ回路（図示せず）、及び回転部１１の基部１２に対する回転角を検出するロータリーエンコーダ（後述する）を収容する空間が形成されており、円柱状の突起１５内を通して回転部１１の内外が連通するようにされている。
【００３９】
ロータリースイッチ２の基部１２は、回転部１１と対向する面の中央に、円柱状の突起１６が設けられている。基部１２の突起１６の外径は回転部１１の突起１５の内径に略等しく、基部１２の突起１６を回転部１１の突起１５内に挿入して嵌合させることで、回転部１１が基部１２に回転可能に枢支される。また、基部１２には、突起１６内を通して基部１２の表裏を貫通する貫通孔１７が形成されており、回転部１１の液晶パネル１３、スイッチ回路及びロータリーエンコーダ等と筐体１内の回路基板（図示せず）とを接続するケーブルを、貫通孔１７を通して接続するようにしてある。
【００４０】
図４は、本発明に係る携帯型音楽プレーヤが音楽の再生中の場合の液晶パネル１３の表示例である。略正方形の液晶パネル１３には、中央の略正方形の領域（図４において破線で囲まれた領域）内に、再生中の楽曲のタイトル、アルバム名、アーティスト名及び再生時間等が表示される。また、この領域の外側には、ボタン１４ａ、１４ｂ、１４ｃ、１４ｄの配設位置に対応して、各ボタンを押下した場合の機能が案内表示される。（ａ）に示す案内表示では、ボタン１４ａは楽曲の再生の一時停止であり、ボタン１４ｂは次の楽曲へのスキップであり、ボタン１４ｃは再生の停止であり、ボタン１４ｄは前の楽曲へのスキップである。
【００４１】
ロータリースイッチ２は、回転部１１を回転させることで、出力される音量の調節を行うことができるようにされており、回転部１１を右回り（時計回り）に回転させた場合には音量が大きくなり、左回り（半時計回り）に回転させた場合には音量が小さくなる。例えば、音量を大きくするために、（ａ）の状態から右に回転部１１を３０°〜４０°程度回転させた状態が（ｂ）であり、９０°回転させた状態が（ｃ）である。（ｂ）の状態では、液晶パネル１３の表示及び４つのボタン１４ａ、１４ｂ、１４ｃ、１４ｄの機能は（ａ）の状態と同じであるが、回転部を４５°以上回転させた場合、（ｃ）に示すように、液晶パネル１３の表示は左に９０°回転した状態で表示される。これにより、ユーザから見た場合には、液晶パネル１３に表示される文字の方向が一定に保たれる。
【００４２】
また、液晶パネル１３の表示が変更された場合、これに対応して各ボタンの機能が液晶パネル１３の表示に従って切り替えられる。（ｃ）の状態では、ボタン１４ａは次の楽曲へのスキップであり、ボタン１４ｂは楽曲の再生の停止であり、ボタン１４ｃは前の楽曲へのスキップであり、ボタン１４ｄは再生の一時停止である。これにより、ユーザから見た場合に、各ボタンに対応する機能の配置が一定に保たれる。また、液晶パネル１３には各ボタンの機能の案内表示が設けられているため誤操作の虞はない。
【００４３】
図５は、本発明に係るロータリースイッチ２の液晶パネル１３の他の表示例である。（ａ）は液晶パネル１３にメニューを表示した場合であり、グループ設定、曲名変更及び曲検索等の項目が表示され、カーソルを移動させて項目を選択することができる。このとき、ボタン１４ａはカーソルを上に移動させる機能が割り当てられており、ボタン１４ｂは選択された項目を決定する機能が割り当てられており、ボタン１４ｃはカーソルを下に移動させる機能が割り当てられており、ボタン１４ｄは１つ前のメニューに戻る機能が割り当てられている。
【００４４】
（ｂ）は楽曲の特定範囲をリピートして再生するための設定を行う画面を表示した場合であり、リピート範囲の始点となるＡ点の時間及び終点となるＢ点の時間が表示される。なお、この表示例では、Ａ点は既に決定済みであり、Ｂ点が未決定の状態である。このとき、ボタン１４ａはＢ点の設定を確定する機能が割り当てられており、ボタン１４ｂはＢ点の時間を後へ遅らせる機能が割り当てられており、ボタン１４ｃはＢ点の設定をキャンセルしてＡ点の設定へ戻る機能が割り当てられており、ボタン１４ｄはＢ点の時間を前へ戻す機能が割り当てられている。なお、液晶パネル１３には、その他にも携帯型音楽プレーヤに備わった様々な機能に応じた表示を行うことができるが、ここでは図示を省略する。
【００４５】
図６は、本発明に係る携帯型音楽プレーヤの構成を示すブロック図である。携帯型音楽プレーヤは、内部にハードディスク３３を備えており、ハードディスク３３にＭＰ３形式で圧縮された楽曲データを千曲程度記録することができる。ハードディスク３３はハードディスクコントローラ３４によりコントロールされており、ハードディスクコントローラ３４は、制御部３０から与えられたデータをハードディスク３３に記録し、ハードディスク３３から読み出したデータを制御部３０へ与えるようにしてある。
【００４６】
制御部３０は、携帯型音楽プレーヤの各部を制御するものであり、ユーザからの操作指示に従って楽曲データの再生又は記録等の処理を行う。ハードディスク３３に記録された楽曲データの再生を行う場合は、制御部３０は、ハードディスクコントローラ３４を介してハードディスク３３からＭＰ３形式で圧縮された楽曲データを読み出し、デコーダ３８へ与える。デコーダ３８は、ＭＰ３形式で圧縮された楽曲データの伸張を行い、Ｄ／Ａ変換部３７へ伸張後の楽曲データを与える。Ｄ／Ａ変換部３７は、与えられたデジタルの楽曲データをアナログの音声信号に変換して、増幅部３６へ与える。増幅部３６にて増幅された音声信号は、出力端子３５に接続されたヘッドホン又はスピーカ等から音声として出力される。
【００４７】
また、携帯型音楽プレーヤはＵＳＢ端子４を備えており、ＵＳＢ端子４に接続されたＵＳＢケーブルを介してコンピュータ又は他のオーディオ装置から楽曲データの受信を行うことができる。ＵＳＢ端子４に接続された装置からの楽曲データの受信は、ＵＳＢコントローラ３１により行われる。ＵＳＢ端子４から受信した楽曲データは、ＵＳＢコントローラ３１から制御部３０へ与えられ、メモリ３２に一時的に蓄えられる。その後、制御部３０は、メモリ３２から楽曲データを読み出してハードディスクコントローラ３４に与え、ハードディスク３３に楽曲データを記録する。
【００４８】
ロータリースイッチ２は、内部にロータリーエンコーダ３９を備えており、ロータリーエンコーダ３９の出力から制御部３０はロータリースイッチ２の回転部１１の回転角を検出することができる。ロータリーエンコーダ３９は、ロータリースイッチ２の回転に応じて、Ａ相及びＢ相と呼ばれる位相が約９０°異なるパルス信号を出力するものである。Ａ相及びＢ相のどちらが先行するかにより回転部１１の回転方向を検出することができ、信号のパルス数により回転部１１の回転量を検出できるため、制御部３０はこれらから回転部１１の回転角を検出することができる。
【００４９】
また、ロータリースイッチ２に備えられた４つのボタン１４ａ、１４ｂ、１４ｃ、１４ｄが押下された場合には、制御部３０にその旨が通知される。ユーザは、ロータリースイッチ２の回転部を回転させる、又はロータリースイッチ２の４つのボタン１４ａ、１４ｂ、１４ｃ、１４ｄを押下することにより、携帯型音楽プレーヤを操作でき、ユーザからの操作に従って制御部３０が各部の制御を行うようにしてある。
【００５０】
また、制御部３０は、携帯型音楽プレーヤの動作状態又は設定メニュー等の表示命令を液晶パネル１３へ与えて表示を行う。このとき、制御部３０は、図４に示したように、ロータリースイッチ２の回転部１１の回転角に応じて、液晶パネル１３の表示を回転させて表示する。
【００５１】
図７は、本発明に係るロータリースイッチ２の回転部１１の回転角と液晶パネル１３の表示方向との対応関係を示す対応図表である。なお、図７において、回転部１１の回転角θは、図１及び図４(ａ）に示した位置を基準位置とし、この基準位置に対する右回りでの傾きで表す。また、液晶パネル１３の表示方向は、図４（ａ）に示した表示方向を基準方向とする。
【００５２】
回転部１１の回転角θが０°≦θ＜４５°又は３１５°≦θ＜３６０°の範囲である場合、制御部３０は図４（ａ）に示したように、液晶パネル１３に基準方向の表示を行う。また、回転角θが４５°≦θ＜１３５°の範囲である場合は、基準方向に対して左に９０°回転した方向に表示を行い、回転角θが１３５°≦θ＜２２５°の範囲である場合は、基準方向に対して１８０°回転した方向に表示を行い、回転角θが２２５°≦θ＜３１５°の範囲である場合は、基準方向に対して右に９０°回転した方向に表示を行う。
【００５３】
図８は、本発明に係る携帯型音楽プレーヤの制御部３０がロータリースイッチ２の回転部１１が回転された場合に行う処理の手順を示すフローチャートである。まず、制御部３０は、ロータリースイッチ２の回転部１１が回転操作されたか否かを調べ（ステップＳ１）、回転操作されていない場合は（Ｓ１：ＮＯ）、回転操作されるまで待機する。回転部１１が回転操作された場合（Ｓ１：ＹＥＳ）、ロータリースイッチ２のロータリーエンコーダ３９から与えられる信号を基に、基準位置に対する回転部１１の回転角θの検出を行う（ステップＳ２）。
【００５４】
次いで、検出した回転部１１の回転角θが０°≦θ＜４５°又は３１５°≦θ＜３６０°の範囲内であるか否かを調べる（ステップＳ３）。回転角θがこの範囲内である場合（Ｓ３：ＹＥＳ）、液晶パネル１３に基準方向に表示を行う（ステップＳ４）。回転角θがこの範囲内でない場合（Ｓ３：ＮＯ）、更に、回転角θが４５°≦θ＜１３５°の範囲内であるか否かを調べる（ステップＳ５）。回転角θがこの範囲内である場合（Ｓ５：ＹＥＳ）、液晶パネル１３に基準方向に対して左に９０°回転した方向に表示を行う（ステップＳ６）。回転角θがこの範囲内でない場合（Ｓ５：ＮＯ）、更に、回転角θが１３５°≦θ＜２２５°の範囲内であるか否かを調べる（ステップＳ７）。回転角θがこの範囲内である場合（Ｓ７：ＹＥＳ）、液晶パネル１３に基準方向に対して１８０°回転した方向に表示を行う（ステップＳ８）。回転角θがこの範囲内でない場合（Ｓ７：ＮＯ）、この場合は回転角θが２２５°≦θ＜３１５°の範囲内であるので、液晶パネル１３に基準方向に対して右に９０°回転した方向に表示を行う（ステップＳ９）。
【００５５】
ステップＳ４、Ｓ６、Ｓ８及びＳ９にて、液晶パネル１３に表示を行った後、検出された回転角θに応じた音量となるように、増幅部３６の増幅率を変更して音量を変更し（ステップＳ１０）、処理を終了する。
【００５６】
以上のフローにより、ロータリースイッチ２の回転部１１が回転された場合、これに合わせて液晶パネル１３の表示方向を変更することができる。更に、本実施の形態に係る携帯型音楽プレーヤは、液晶パネル１３の表示方向が変更された場合、これにあわせて４つのボタン１４ａ、１４ｂ、１４ｃ、１４ｄの機能を変更することができる。
【００５７】
図９は、本発明に係る携帯型音楽プレーヤの液晶パネル１３の表示方向とボタン１４ａの機能との対応関係を示す対応図表である。なお、図９にはボタン１４ａの機能のみ示し、ボタン１４ｂ、１４ｃ、１４ｄの機能は省略する。
【００５８】
例えば、液晶パネル１３の表示が図４に示す「再生（再生中）」の表示であり、この表示が液晶パネル１３の基準方向に表示されている場合、ボタン１４ａには楽曲の再生の一時停止の機能が割り当てられる。また、表示が基準方向に対して左に９０°回転して表示されている場合には、次の楽曲へのスキップの機能が割り当てられ、１８０°回転して表示されている場合には、楽曲の再生の停止の機能が割り当てられ、右に９０°回転して表示されている場合には、前の楽曲へのスキップの機能が割り当てられる。
【００５９】
また、例えば、液晶パネル１３の表示が図５（ａ）に示す「メニュー」の表示であり、この表示が液晶パネル１３の基準方向に表示されている場合、ボタン１４ａにはメニューを選択するカーソルを上に移動させる機能が割り当てられる。また、表示が基準方向に対して左に９０度回転して表示されている場合には、選択したメニューを決定する機能が割り当てられ、１８０°回転して表示されている場合には、カーソルを下に移動させる機能が割り当てられ、右に９０度回転して表示されている場合には、１つ前のメニュー画面に戻る機能が割り当てられる。
【００６０】
図１０及び図１１は、本発明に係る携帯型音楽プレーヤのボタン１４ａが押下された場合に制御部３０が行う処理の手順を示すフローチャートである。なお、図１０及び図１１においては、フローチャートを簡略化するために、液晶パネル１３の表示内容は図９に示す「再生（再生中）」、「再生（一時停止中）」及び「メニュー」の３種類のみであるものとする。また、ボタン１４ｂ、１４ｃ、１４ｄが押下された場合のフローチャートは図示を省略する。
【００６１】
まず、制御部３０は、ボタン１４ａが押下されたか否かを調べ（ステップＳ３１）、押下されていない場合には（Ｓ３１：ＮＯ）、ボタン１４ａが押下されるまで待機する。ボタン１４ａが押下された場合（Ｓ３１：ＹＥＳ）、液晶パネル１３の表示内容が「再生（再生中）」であるか否かを調べる（ステップＳ３２）。表示内容が「再生（再生中）」である場合（Ｓ３２：ＹＥＳ）、更に、液晶パネル１３の表示方向が基準方向であるか否かを調べる（ステップＳ３３）。表示方向が基準方向である場合（Ｓ３３：ＹＥＳ）、再生中の楽曲の一時停止処理を行う（ステップＳ３４）。表示方向が基準方向でない場合（Ｓ３３：ＮＯ）、表示方向が基準方向に対して左に９０°回転した方向であるか否かを調べる（ステップＳ３５）。表示方向が左に９０°回転した方向である場合（Ｓ３５：ＹＥＳ）、再生を行う楽曲を次の楽曲へスキップする処理を行う（ステップＳ３６）。表示方向が左に９０°回転した方向でない場合（Ｓ３５：ＮＯ）、表示方向が基準方向に対して１８０°回転した方向であるか否かを調べる（ステップＳ３７）。表示方向が１８０°回転した方向である場合（Ｓ３７：ＹＥＳ）、再生中の楽曲を停止する処理を行う（ステップＳ３８）。表示方向が１８０°回転した方向でない場合（Ｓ３７：ＮＯ）、この場合は表示方向は基準方向に対して右に９０°回転した方向であるので、再生を行う楽曲を前の楽曲へスキップする処理を行う（ステップＳ３９）。
【００６２】
ステップＳ３２にて、液晶パネル１３の表示内容が「再生（再生中）」でない場合（Ｓ３２：ＮＯ）、表示内容が「再生（一時停止中）」であるか否かを調べる（ステップＳ４０）。表示内容が「再生（一時停止中）」である場合（Ｓ４０：ＹＥＳ）、更に、液晶パネル１３の表示方向が基準方向であるか否かを調べる（ステップＳ４１）。表示方向が基準方向である場合（Ｓ４１：ＹＥＳ）、一時停止中の楽曲の再生処理を行う（ステップＳ４２）。表示方向が基準方向でない場合（Ｓ４１：ＮＯ）、表示方向が基準方向に対して左に９０°回転した方向であるか否かを調べる（ステップＳ４３）。表示方向が左に９０°回転した方向である場合（Ｓ４３：ＹＥＳ）、再生を行う楽曲を次の楽曲へスキップする処理を行う（ステップＳ４４）。表示方向が左に９０°回転した方向でない場合（Ｓ４３：ＮＯ）、表示方向が基準方向に対して１８０°回転した方向であるか否かを調べる（ステップＳ４５）。表示方向が１８０°回転した方向である場合（Ｓ４５：ＹＥＳ）、再生中の楽曲を停止する処理を行う（ステップＳ４６）。表示方向が１８０°回転した方向でない場合（Ｓ４５：ＮＯ）、この場合は表示方向は基準方向に対して右に９０°回転した方向であるので、再生を行う楽曲を前の楽曲へスキップする処理を行う（ステップＳ４７）。
【００６３】
ステップＳ４０にて、液晶パネル１３の表示内容が「再生（一時停止中）」でない場合（Ｓ４０：ＮＯ）、即ち、表示内容が「メニュー」である場合、更に、液晶パネル１３の表示方向が基準方向であるか否かを調べる（ステップＳ４８）。表示方向が基準方向である場合（Ｓ４８：ＹＥＳ）、カーソルを上へ移動させる処理を行う（ステップＳ４９）。表示方向が基準方向でない場合（Ｓ４８：ＮＯ）、表示方向が基準方向に対して左に９０°回転した方向であるか否かを調べる（ステップＳ５０）。表示方向が左に９０°回転した方向である場合（Ｓ５０：ＹＥＳ）、カーソルにより選択されているメニューの項目を決定する処理を行う（ステップＳ５１）。表示方向が左に９０°回転した方向でない場合（Ｓ５０：ＮＯ）、表示方向が基準方向に対して１８０°回転した方向であるか否かを調べる（ステップＳ５２）。表示方向が１８０°回転した方向である場合（Ｓ５２：ＹＥＳ）、カーソルを下へ移動させる処理を行う（ステップＳ５３）。表示方向が１８０°回転した方向でない場合（Ｓ５２：ＮＯ）、この場合は表示方向は基準方向に対して右に９０°回転した方向であるので、表示するメニューを１つ前のものに戻す処理を行う（ステップＳ５４）。
【００６４】
ステップＳ３４、Ｓ３６、Ｓ３８、Ｓ３９、Ｓ４２、Ｓ４４、Ｓ４６、Ｓ４７、Ｓ４９、Ｓ５１、Ｓ５３及びＳ５４にて、各処理を行った後、処理を終了する。
【００６５】
以上の構成の携帯型音楽プレーヤにおいては、ロータリースイッチ２の回転部１１に液晶パネル１３及び４つのボタン１４ａ、１４ｂ、１４ｃ、１４ｄを配設したため、筐体１の配設スペースを有効に活用することができ、携帯型音楽プレーヤを小型化することができる。また、ロータリースイッチ２の回転部１１の回転に応じて、液晶パネル１３の表示の方向を変更し、４つのボタンの機能を変更することにより、操作性が悪化することを防止することができる。
【００６６】
なお、本実施の形態においては、ロータリースイッチ２の回転部１１を回転させた場合に、携帯型音楽プレーヤが出力する音声の音量を変更する構成としたが、これに限るものではなく、回転により他の動作を行う構成としてもよい。例えば、回転部１１を回転に応じて液晶パネル１３に設定内容の異なる設定メニューを順次表示する構成としてもよく、回転部１１を回転させて楽曲の再生、次スキップ及び前スキップ等を行う構成としてもよい。また、回転部１１に４つのボタンを配設する構成を示したが、これに限るものではなく、３つ以下又は５つ以上のボタンを配設する構成であってもよい。また、液晶パネル１３の表示例は一例であって、これに限るものではない。また、液晶パネル１３の表示方向を４方向で切り替える構成を示したが、これに限るものではなく、２方向又は８方向等で切り替える構成であってもよい。また、各ボタンに対する機能の割り当ては一例であって、これに限るものではない。また、ロータリースイッチ２に４つの押ボタンを設ける構成を示したが、これに限るものではなく、例えば、液晶パネル１３をタッチパネルとし、タッチパネルによるボタンを設ける構成としてもよい。また、本実施の形態においては電気機器として携帯型音楽プレーヤの構成を示したが、これに限るものではなく、例えば、テレビ、ビデオデッキ又はＤＶＤプレーヤ等の他の電気機器であってもよい。
【図面の簡単な説明】
【００６７】
【図１】本発明に係る携帯型音楽プレーヤの構成を示す斜視図である。
【図２】本発明に係るロータリースイッチの構成を示す略示分解斜視図である。
【図３】本発明に係るロータリースイッチの構成を示す模式的側断面図である。
【図４】本発明に係る携帯型音楽プレーヤが音楽の再生中の場合の液晶パネルの表示例である。
【図５】本発明に係るロータリースイッチの液晶パネルの他の表示例である。
【図６】本発明に係る携帯型音楽プレーヤの構成を示すブロック図である。
【図７】本発明に係るロータリースイッチの回転部の回転角と液晶パネルの表示方向との対応関係を示す対応図表である。
【図８】本発明に係る携帯型音楽プレーヤの制御部がロータリースイッチの回転部が回転された場合に行う処理の手順を示すフローチャートである。
【図９】本発明に係る携帯型音楽プレーヤの液晶パネルの表示方向とボタンの機能との対応関係を示す対応図表である。
【図１０】本発明に係る携帯型音楽プレーヤのボタンが押下された場合に制御部が行う処理の手順を示すフローチャートである。
【図１１】本発明に係る携帯型音楽プレーヤのボタンが押下された場合に制御部が行う処理の手順を示すフローチャートである。
【符号の説明】
【００６８】
１  筐体
２  ロータリースイッチ（操作装置）
４  ＵＳＢ端子
１１  回転部
１２  基部
１３  液晶パネル（表示部）
１４ａ、１４ｂ、１４ｃ、１４ｄ  ボタン（操作部）
３０  制御部
３３  ハードディスク
３５  出力端子（出力手段）
３９  ロータリーエンコーダ（回転角検出手段）
【図１】
2007065382.tif 000003
【図２】
2007065382.tif 000004
【図３】
2007065382.tif 000005
【図４】
2007065382.tif 000006
【図５】
2007065382.tif 000007
【図６】
2007065382.tif 000008
【図７】
2007065382.tif 000009
【図８】
2007065382.tif 000010
【図９】
2007065382.tif 000011
【図１０】
2007065382.tif 000012
【図１１】
2007065382.tif 000013